(57)【要約】【課題】  縦配管路を形成する配管部材をハウジング形の管継手により接続するときに、配管部材やハウジング形の管継手が落下するのを防止することができ、安全に作業できるようにする。【解決手段】  数階建ての建物内に敷設されている給水配管路の更新工事や補修工事を行う際に設けられる仮設配管路を形成し、二つ割り状のハウジング形の管継手により接続される配管部材であって、前記配管部材は、少なくとも二つの開口端部を有する管本体と、前記管本体の各開口端部に設けられ、外周面にハウジング形の管継手により覆われる環状の鍔部を形成した筒状の受け口又は筒状の挿し口若しくは筒状の接続部と、前記管本体、筒状の受け口、筒状の挿し口又は筒状の接続部の何れかに設けられ、作業者が着用している安全帯に設けたフックや作業者が身に付けている索条に着脱自在に係止される落下防止用の係止手段と、を備えている。【選択図】      図３
2020063611.tif 000002
【特許請求の範囲】
【請求項１】
数階建ての建物内に敷設されている給水配管路の更新工事や補修工事を行う際に設けられる仮設配管路を形成し、二つ割り状のハウジング形の管継手により接続される配管部材であって、前記配管部材は、少なくとも二つの開口端部を有する管本体と、前記管本体の各開口端部に設けられ、外周面にハウジング形の管継手により覆われる環状の鍔部を形成した筒状の受け口又は筒状の挿し口若しくは筒状の接続部と、前記管本体、筒状の受け口、筒状の挿し口又は筒状の接続部の何れかに設けられ、作業者が着用している安全帯に設けたフックや作業者が身に付けている索条に着脱自在に係止される落下防止用の係止手段と、を備えていることを特徴とする配管部材。
【請求項２】
前記配管部材を、少なくとも落下防止用の係止手段をそれぞれ備えた直管、チーズ、エルボ、伸縮管、筒状のフレキシブル継手、レジューサー、筒状のエンドキャップ又は筒状の変換アダプタの何れかとしたことを特徴とする請求項１に記載の配管部材。
【請求項３】
前記配管部材を、複数の合成樹脂製の管体を突合せ融着により接続して成るユニット本体と、前記ユニット本体の各開口端部に設けられ、外周面にハウジング形の管継手により覆われる環状の鍔部を形成した筒状の受け口又は筒状の挿し口若しくは筒状の接続部と、前記ユニット本体、筒状の受け口、筒状の挿し口又は筒状の接続部の何れかに設けられ、作業者が着用している安全帯に設けたフックや作業者が身に付けている索条に着脱自在に係止される落下防止用の係止手段と、を備えた仮設配管ユニットとしたことを特徴とする請求項１に記載の配管部材。
【請求項４】
前記係止手段は、少なくとも作業者が着用している安全帯に設けたフックや作業者が身に付けている索条が着脱自在に係止されるリング又はリング状部を備えていることを特徴とする請求項１〜３の何れかに記載の配管部材。
【請求項５】
請求項１〜４の何れかに記載の配管部材を接続する管継手であって、前記管継手は、
二つの配管部材の端部に覆い被される一対の半円状ハウジングから成る二つ割りの環状ハウジングと、一対の半円状ハウジングの一端部にそれぞれ設けた連結片同士を回動自在に連結する連結ピンと、一方の半円状ハウジングの他端部に設けた締め付け片に回動自在に設けられ、他方の半円状ハウジングの他端部に設けた二股状の締め付け片間に挿通されるボルト及び当該ボルトに螺着されて二股状の締め付け片に面接触状態で緊密に係止されるナットから成る緊締具と、前記連結ピン又は一方の半円状ハウジングに設けられ、作業者が着用している安全帯に設けたフックや作業者が身に付けている索条に着脱自在に係止される落下防止用の係止手段と、を備えたハウジング形の管継手に構成されていることを特徴とする管継手。
【請求項６】
前記係止手段は、少なくとも作業者が着用している安全帯に設けたフックや作業者が身に付けている索条が着脱自在に係止されるリング又はリング状部を備えていることを特徴とする請求項５に記載の管継手。
【請求項７】
数階建ての建物内に敷設されている給水配管路の更新工事や補修工事を行う際に設けられる仮設配管路であって、前記仮設配管路は、少なくとも請求項１〜４の何れかに記載の配管部材と、請求項５又は６に記載の管継手と、を備えていることを特徴とする仮設配管路。
【請求項８】
数階建ての建物内に敷設されている給水配管路の更新工事や補修工事を行う際に設けられる仮設配管路の施工方法であって、請求項１〜４の何れかに記載の配管部材を請求項５又は６に記載の管継手で縦向きに接続する際に、前記配管部材に設けた係止手段や前記管継手に設けた係止手段に、作業者が着用している安全帯に設けたフックや作業者が身に付けている索条を係止した後、この状態で前記配管部材同士を管継手で接続するようにしたことを特徴とする仮設配管路の施工方法。
【発明の詳細な説明】
【技術分野】
【０００１】
本発明は、マンション等の集合住宅、学校、病院、ビル等の数階建ての建物内に敷設されている給水配管路（上水道管路）の更新工事や補修工事等を行う際に用いられる配管部材、配管部材を接続する管継手及びそれらを用いた仮設配管路並びに仮設配管路の施工方法に関するものである。
【背景技術】
【０００２】
一般に、マンション等の集合住宅、学校、病院、ビル等の数階建ての建物内に敷設されている給水配管路は、これを長年使用していると、亜鉛メッキ鋼管等の給水管内に発生した錆等が原因となって赤水の流出、管内のぬめり、バクテリアの発生、流量及び水圧の低下、スケールの発生、スケールの流出等が生じ、水質の悪化や衛生面の問題が生じるうえ、パッキンの劣化による漏水事故等の様々な悪影響が生じて来る。
【０００３】
そのため、集合住宅等の数階建ての建物においては、上述した問題が発生すると、給水配管路の更新工事や補修工事を行っている。このとき、建物内に敷設されている給水配管路の更新工事や補修工事においては、居住民の生活があるため、長期間、長時間の断水による管路更新や補修は許されない。
【０００４】
このように、従来の給水配管路の更新工事や補修工事においては、長期間、長時間の断水による管路更新や補修が許されないため、所謂仮設配管路を設ける工法が採用されている（例えば、特許文献１及び特許文献２参照）。
【０００５】
前記仮設配管路には、鋼管等の金属管に代えて軽量で取扱性に優れたビニル管やポリエチレン管等が広く使用されている。特に、ビニル管を用いて仮設配管路を敷設する場合には、ビニル管同士の接続に接着剤を使用し、永久的な結合を行っている。
【０００６】
しかし、ビニル管を用いた場合、ビニル管同士の接合に時間が掛かるだけでなく、接合完了から水道水の供給開始までに相当の時間を要するという問題があった。
【０００７】
また、仮設配管路の撤去には、永久的な結合を行っているために配管を切断しなければならず、時間と労費を費やすうえ、配管の再利用が出来ないために撤去後に仮設配管路の形成部材を全てスクラップ処分する必要があり、省資源や環境保全を図る上で多くの問題を抱えている。
【０００８】
一方、本件出願人は、上述した問題を解決する仮設配管路を開発し、特開２０１２−１２２２０９号公報（特許文献３）として公開している。
【０００９】
即ち、前記各仮設配管路は、図示していないが、ポリエチレン樹脂材により形成した直管、エルボ、チーズ、異径管、伸縮管等の管本体を適宜に突合せ融着すると共に、端部に位置する管本体の開口端部にポリエチレン樹脂製の筒状接続部を突合せ融着して仮設配管ユニットを形成し、当該仮設配管ユニットの筒状接続部同士を対向せしめて筒状接続部の先端部外周面に形成した環状の鍔部に環状のパッキンを被せ、前記環状の鍔部及び環状のパッキンを二つ割り状のハウジング形の管継手で抱き込んで締め付け固定し、仮設配管ユニット同士を環状のパッキン及びハウジング形の管継手で気密状に接続することにより形成されている。
【００１０】
このように、前記仮設配管路は、仮設配管ユニット同士を環状のパッキン及びハウジング形の管継手で気密状に接続することにより形成されるため、仮設配管路を簡単に形成することができて工期の短縮を図れると共に、管継手及び環状のパッキンを外すだけで仮設配管ユニットを簡単に分離することができ、また、仮設配管路の分解時に仮設配管ユニット、管継手が損傷することが殆どなく、再利用できると言う利点がある。
【００１１】
ところで、上述した仮設配管路を用いた給水配管路の更新工事や補修工事においては、集合住宅等の建物に仮設配管路の設置スペースが無い場合、仮設配管路を形成する縦配管路を更新工事や補修工事の期間中だけ建物の外側に設置するようにしている。
【００１２】
即ち、仮設配管路の縦配管路は、例えば、集合住宅等の建物の外廊下や外階段等に設けた手摺壁や手摺の外側位置に所定の間隔を空けて並列状に複数配設されており、前記各縦配管路は、建物内の各住戸のメーターボックス内又はパイプスペース内に設置されている水道メーターを装着したメーターユニットに給水ホース等から成る給水用配管により接続されている。
【００１３】
ところで、前記仮設配管路の縦配管路は、建物の屋上から最下部のフロアに亘って設けられており、建物の外廊下や外階段等に設けた手摺壁や手摺の外側位置に設置する際に、建物の屋上側から階下へ向って直管、チーズ、エルボ等の管本体や仮設配管ユニットを環状のパッキン及びハウジング形の管継手により順次接続するようにしている。
【００１４】
しかしながら、仮設配管路の縦配管路を建物の外側に施工する際に、管本体同士の接続又は管本体と仮設配管ユニットの接続若しくは仮設配管ユニット同士の接続を環状のパッキン及びハウジング形の管継手を用いて行うときに、管本体や仮設配管ユニット、ハウジング形の管継手を落とすことがあり、人身事故につながったり、或いは、建物や落下した管本体、仮設配管ユニット、ハウジング形の管継手が損傷・破損したりすると言う問題があった。
特に、仮設配管ユニットにおいては、複数の管本体や筒状接続部を突合せ融着することにより形成されているため、可なり重たくなっており、落下時の衝撃が大きくて前記問題がより助長されることになる。
【先行技術文献】
【特許文献】
【００１５】
【特許文献１】特開平１０−３０６４７２号公報
【特許文献２】特開平１１−１０７３３５号公報
【特許文献３】特開２０１２−１２２２０９号公報
【発明の概要】
【発明が解決しようとする課題】
【００１６】
本発明は、このような問題点に鑑みて為されたものであり、その目的は、建物の外側に仮設配管路の縦配管路を施工する際に、縦配管路を形成する配管部材をハウジング形の管継手により接続するときに、配管部材やハウジング形の管継手が落下するのを防止でき、安全に作業できると共に、建物や配管部材、ハウジング形の管継手の損傷・破損を防止できるようにした配管部材、配管部材を接続する管継手及びそれらを用いた仮設配管路並びに仮設配管路の施工方法を提供することにある。
【課題を解決するための手段】
【００１７】
上記目的を達成するために、本発明の請求項１に記載の配管部材は、数階建ての建物内に敷設されている給水配管路の更新工事や補修工事を行う際に設けられる仮設配管路を形成し、二つ割り状のハウジング形の管継手により接続される配管部材であって、前記配管部材は、少なくとも二つの開口端部を有する管本体と、前記管本体の各開口端部に設けられ、外周面にハウジング形の管継手により覆われる環状の鍔部を形成した筒状の受け口又は筒状の挿し口若しくは筒状の接続部と、前記管本体、筒状の受け口、筒状の挿し口又は筒状の接続部の何れかに設けられ、作業者が着用している安全帯に設けたフックや作業者が身に付けている索条に着脱自在に係止される落下防止用の係止手段と、を備えていることに特徴がある。
【００１８】
本発明の請求項２に記載の配管部材は、請求項１に記載の配管部材において、前記配管部材を、少なくとも落下防止用の係止手段をそれぞれ備えた直管、チーズ、エルボ、伸縮管、筒状のフレキシブル継手、レジューサー、筒状のエンドキャップ又は筒状の変換アダプタの何れかとしたことに特徴がある。
【００１９】
本発明の請求項３に記載の配管部材は、請求項１に記載の配管部材において、前記配管部材を、複数の合成樹脂製の管体を突合せ融着により接続して成るユニット本体と、前記ユニット本体の各開口端部に設けられ、外周面にハウジング形の管継手により覆われる環状の鍔部を形成した筒状の受け口又は筒状の挿し口若しくは筒状の接続部と、前記ユニット本体、筒状の受け口、筒状の挿し口又は筒状の接続部の何れかに設けられ、作業者が着用している安全帯に設けたフックや作業者が身に付けている索条に着脱自在に係止される落下防止用の係止手段と、を備えた仮設配管ユニットとしたことに特徴がある。
【００２０】
本発明の請求項４に記載の配管部材は、請求項１〜３の何れかに記載の配管部材において、前記係止手段は、少なくとも作業者が着用している安全帯に設けたフックや作業者が身に付けている索条が着脱自在に係止されるリング又はリング状部を備えていることに特徴がある。
【００２１】
本発明の請求項５に記載の管継手は、請求項１〜４の何れかに記載の配管部材を接続する管継手であって、前記管継手は、二つの配管部材の端部に覆い被される一対の半円状ハウジングから成る二つ割りの環状ハウジングと、一対の半円状ハウジングの一端部にそれぞれ設けた連結片同士を回動自在に連結する連結ピンと、一方の半円状ハウジングの他端部に設けた締め付け片に回動自在に設けられ、他方の半円状ハウジングの他端部に設けた二股状の締め付け片間に挿通されるボルト及び当該ボルトに螺着されて二股状の締め付け片に面接触状態で緊密に係止されるナットから成る緊締具と、前記連結ピン又は一方の半円状ハウジングに設けられ、作業者が着用している安全帯に設けたフックや作業者が身に付けている索条に着脱自在に係止される落下防止用の係止手段と、を備えたハウジング形の管継手に構成されていることに特徴がある。
【００２２】
本発明の請求項６に記載の管継手は、請求項５に記載の管継手において、前記係止手段は、少なくとも作業者が着用している安全帯に設けたフックや作業者が身に付けている索条が着脱自在に係止されるリング又はリング状部を備えていることに特徴がある。
【００２３】
本発明の請求項７に記載の仮設配管路は、数階建ての建物内に敷設されている給水配管路の更新工事や補修工事を行う際に設けられる仮設配管路であって、前記仮設配管路は、少なくとも請求項１〜４の何れかに記載の配管部材と、請求項５又は６に記載の管継手と、を備えていることに特徴がある。
【００２４】
本発明の請求項８に記載の仮設配管路の施工方法は、数階建ての建物内に敷設されている給水配管路の更新工事や補修工事を行う際に設けられる仮設配管路の施工方法であって、請求項１〜４の何れかに記載の配管部材を請求項５又は６に記載の管継手で縦向きに接続する際に、前記配管部材に設けた係止手段や前記管継手に設けた係止手段に、作業者が着用している安全帯に設けたフックや作業者が身に付けている索条を係止した後、この状態で前記配管部材同士を管継手で接続するようにしたことに特徴がある。
【発明の効果】
【００２５】
本発明は、仮設配管路を形成する配管部材と配管部材を接続するハウジング形の管継手とに、作業者が着用している安全帯に設けたフックや作業者が身に付けている索条に着脱自在に係止される落下防止用の係止手段をそれぞれ設けているため、配管部材を縦向きに接続する際に、配管部材及びハウジング形の管継手にそれぞれ設けた係止手段に、作業者が着用している安全帯に設けたフックや作業者が身に付けている索条を係止しておけば、配管部材やハウジング形の管継手が落下するのを防止することができる。
その結果、本発明は、建物の外側に仮設配管路（縦配管路）を施工する際に、安全に作業できると共に、配管部材やハウジング形の管継手等の落下による建物や配管部材、ハウジング形の管継手等の損傷・破損を防止することができる。
【００２６】
また、本発明は、係止手段が、作業者が着用している安全帯に設けたフックや作業者が身に付けている索条が着脱自在に係止されるリング又はリング状部を備えているため、係止手段のリング又はリング状部と安全帯のフック又は索条との係止を確実且つ強固に行え、配管部材やハウジング形の管継手等が落下するのを確実に防止することができる。
【図面の簡単な説明】
【００２７】
【図１】本発明の実施形態に係る配管部材等を用いて仮設配管路をマンション等の集合住宅の建物に設けた一例を示す配管割図である。
【図２】仮設配管路の縦配管路を固定金具により建物の手摺壁に固定し、縦配管路とメーターユニットとを給水用吊下げ配管で接続した状態を示す建物の要部の概略縦断面図である。
【図３】配管部材を形成する直管を示し、（Ａ）は一端部に受け口を、また、他端部に挿し口を設けた直管の正面図、（Ｂ）は同じく直管の平面図、（Ｃ）は同じく直管の縦断正面図、（Ｄ）は図３（Ｂ）のａ−ａ線拡大断面図である。
【図４】配管部材を形成するチーズを示し、両端部に受け口及び挿し口を、また、Ｔ字状の突出部に受け口をそれぞれ設けたチーズの正面図である。
【図５】配管部材を形成するエルボを示し、一端部に受け口を、また、他端部に挿し口を設けたエルボの正面図である。
【図６】配管部材を形成する伸縮管を示し、一端部に受け口を、また、他端部に挿し口を設けた伸縮管の正面図である。
【図７】配管部材を形成するフレキシブル継手を示し、一端部に受け口を、また、他端部に挿し口を設けたフレキシブル継手の正面図である。
【図８】配管部材を形成するレジューサーを示し、一端部に受け口を、また、他端部に挿し口を設けたレジューサーの正面図である。
【図９】配管部材を形成するエンドキャップを示し、開口端部に受け口を設けたエンドキャップの正面図である。
【図１０】配管部材を形成する変換アダプタを示し、一端部に受け口を設けた変換アダプタの正面図である。
【図１１】配管部材を形成する仮設配管ユニットの正面図である。
【図１２】図１１に示す仮設配管ユニットの一部省略拡大縦断正面図である。
【図１３】ハウジング形の管継手を示し、（Ａ）はハウジング形の管継手の正面図、（Ｂ）はハウジング形の管継手の左側面図、（Ｃ）はハウジング形の管継手の右側面図、（Ｄ）はハウジング形の管継手の背面図、（Ｅ）はハウジング形の管継手の平面図、（Ｆ）はハウジング形の管継手の底面図である。
【図１４】図１３（Ａ）のｂ−ｂ線拡大断面図である。
【図１５】図１３（Ｅ）のｃ−ｃ線拡大断面図である。
【図１６】脱落防止用の係止手段を設けた止水栓の正面図である。
【図１７】配管部材同士をハウジング形の管継手で接続した状態を示す要部の拡大図である。
【図１８】配管部材同士をハウジング形の管継手で接続した状態を示す要部の拡大断面図である。
【図１９】配管部材に設ける係止手段の他の例を示す平面図である。
【図２０】配管部材に設ける係止手段の更に他の例を示す正面図である。
【図２１】配管部材に設ける係止手段の更に他の例を示す正面図である。
【図２２】ハウジング形の管継手に設けた係止手段の他の例を示し、（Ａ）は係止手段をリング状部としたハウジング形の管継手の正面図、（Ｂ）は係止手段をリングとしたハウジング形の管継手の正面図である。
【図２３】配管部材の各開口端部に、ハウジング形の管継手により覆われる環状の鍔部を形成した筒状の接続部を設け、配管部材同士を環状のパッキン及び二つ割り状のハウジング形の管継手で抱き込んで締め付け固定した状態の要部の断面図である。
【発明を実施するための形態】
【００２８】
以下、本発明の実施形態を図面に基づいて詳細に説明する。
図１は本発明の実施形態に係る配管部材（例えば、仮設配管ユニット１、直管２、チーズ３、エルボ５、エンドキャップ７等）やハウジング形の管継手４を用いて仮設配管路Ｌをマンション等の集合住宅に設置した一例を示す配管割図であり、前記仮設配管路Ｌは、集合住宅等の数階建ての建物Ｂ内に敷設されている既設の給水配管路（上水道管路）の更新工事や補修工事を行う際に、建物Ｂの外側に設置して長時間断水することなく給水配管路の更新工事や補修工事を行えるようにしたものであり、給水用のタンクやポンプ（何れも図示省略）に接続されている既設の水道管（図示省略）に接続されて建物Ｂの屋上に配設された仮設の屋上配管路Ｌ１と、仮設の屋上配管路Ｌ１に接続されて建物Ｂの屋上から最下部のフロア（Ｆ１）まで並列状に配設された複数の仮設の縦配管路Ｌ２と、を備えている。
【００２９】
前記仮設の屋上配管路Ｌ１は、図１に示す如く、直管２、チーズ３（同径チーズ又は異径チーズ）、ハウジング形の管継手４、ボールバルブ等の止水栓（図示省略）、エルボ（図示省略）、フレキシブル継手（図示省略）等を備えており、前記各部材２，３をハウジング形の管継手４で順次接続することにより形成されている。この仮設の屋上配管路Ｌ１は、最も上流側に位置する部材がＶＳ継手（図示省略）等を介して給水用のタンク又はポンプ（何れも図示省略）に接続されている既設の水道管（図示省略）に接続されており、既設の水道管から水道水が流入するようになっている。
【００３０】
一方、前記複数の仮設の縦配管路Ｌ２は、図１に示す如く、仮設配管ユニット１、直管２、チーズ３、エルボ５、止水栓６（ボールバルブ）、ハウジング形の管継手４、エンドキャップ７等をそれぞれ備えており、前記各部材１，２，３，５，６，７をハウジング形の管継手４で直列状に接続することにより形成されている。これらの各縦配管路Ｌ２は、何れも建物Ｂに設けた外廊下の外側位置に並列状に配設されており、固定金具８により外廊下の手摺壁Ｂ１に固定されている（図２参照）。尚、固定金具８は、手摺壁Ｂ１の上端部に着脱自在に固定されており、手摺壁Ｂ１の外側面に沿って配設された縦配管路Ｌ２の一部分を保持固定している。
【００３１】
また、仮設配管路Ｌの各縦配管路Ｌ２は、図２に示す如く、建物Ｂの各住戸のメーターボックスＳ内（又はパイプスペース内）に収納した水道メーターＭを装着したメーターユニットＵにそれぞれ給水用吊下げ配管９により接続されており、縦配管路Ｌ２内を流れる水道水を給水用吊下げ配管９により各住戸へ供給するようになっている。
【００３２】
尚、前記給水用吊下げ配管９は、図２に示す如く、建物Ｂの外廊下の天井面の下方位置に水平姿勢で配置され、基端部が縦配管路Ｌ２の仮設配管ユニット１に接続された横向き配管１０と、横向き配管１０の先端部に接続された管継手１１と、外廊下の壁面に沿って縦向き姿勢で配置され、上端部が管継手１１に接続されると共に、下端部が水道メーターＭを装着したメーターユニットＵに接続される縦向き配管１２と、仮設配管ユニット１と管継手１２との間に張設された索条１３（可撓性を有するロープ、紐、ワイヤー、チェーン等）と、を備えており、前記仮設配管ユニット１と管継手１１との間に張設した索条１３により横向き配管１０及び縦向き配管１２を保持する構成となっている。
【００３３】
そして、前記屋上配管路Ｌ１及び縦配管路Ｌ２を形成する配管部材は、少なくとも仮設配管ユニット１、直管２、チーズ３、エルボ５、筒状のエンドキャップ７、伸縮管１４、筒状のフレキシブル継手１５、レジューサー１６又は筒状の変換アダプタ１７等から成る。
【００３４】
これらの配管部材２，３，５，７，１４，１５，１６，１７は、仮設配管ユニット１を除いて、合成樹脂製の管本体２ａ，３ａ，５ａ，７ａ，１４ａ，１５ａ，１６ａ，１７ａと、前記管本体２ａ，３ａ，５ａ，７ａ，１４ａ，１５ａ，１６ａ，１７ａの各開口端部に設けられ、外周面にハウジング形の管継手４により覆われる環状の鍔部２０ｃ，２１ｄを形成した合成樹脂製の筒状の受け口２０又は筒状の挿し口２１と、前記管本体２ａ，３ａ，５ａ，７ａ，１４ａ，１５ａ，１６ａ，１７ａ、受け口２０又は挿し口２１の何れかに設けられ、作業者が着用している安全帯（図示省略）に設けたフック１９や作業者が身に付けている索条（図示省略）に着脱自在に係止される落下防止用の係止手段２２と、を備えている（図３〜図１０参照）。これらの配管部材２，３，５，７，１４，１５，１６，１７は、その管径や長さ、肉厚、大きさ等が自由に設定可能であり、現場の状況に応じて適宜に選択して組み合わされ、仮設配管路Ｌを形成するようになっている。
【００３５】
尚、前記安全帯には、従来公知の胴ベルト式の安全帯やフルハーネス式の安全帯等が使用されており、安全帯に設けたロープ１８の先端部に開閉自在なフック１９を備えている。また、落下防止用の係止手段２２に連結される前記索条には、図示していないが、可撓性を有するロープ、紐、ワイヤー、チェーン等が使用されており、これらの基端部側は、安全帯に連結されたり、或いは、作業者の身体に直接結び付けられている。
【００３６】
図３（Ａ）〜（Ｄ）は配管部材を形成する直管２を示し、当該直管２は、合成樹脂製の直線状の管本体２ａと、管本体２ａの一方の開口端部に突合せ融着Ｗにより接続された合成樹脂製の筒状の受け口２０と、管本体２ａの他方の開口端部に突合せ融着Ｗにより接続された合成樹脂製の筒状の挿し口２１と、受け口２０に設けた落下防止用の係止手段２２と、を備えている。この直管２の受け口２０には、他の配管部材１，２，３，５，７，１４，１５，１６，１７に設けた挿し口２１が気密状態で着脱自在に挿着され、また、直管２の挿し口２１には、他の配管部材１，２，３，５，７，１４，１５，１６，１７に設けた受け口２０が気密状態で着脱自在に挿着されるようになっている。
【００３７】
前記受け口２０の先端部には、受け口２０の基端部よりも大径の受け筒部２０ａが一体的に形成され、また、前記挿し口２１の先端部には、他の配管部材１，２，３，５，７，１４，１５，１６，１７の受け口２０に設けた受け口２０に気密状態で着脱自在に挿着される挿し筒部２１ａが一体的に形成されており、当該挿し筒部２１ａの外周面には、Ｏリング２３が嵌め込まれる環状のＯリング溝２１ｂが二列形成され、受け口２０の受け筒部２０ａの内周面と挿し口２１の挿し筒部２１ａの外周面との間をＯリング２３によりシールするようにしている。
【００３８】
更に、前記受け口２０の受け筒部２０ａの内周縁部には、内方へ行くに従って漸次縮径するテーパ面２０ｂが形成され、また、前記挿し口２１の挿し筒部２１ａの外周縁部には、面取り２１ｃが施されており、配管部材１，２，３，５，７，１４，１５，１６，１７の受け口２０と他の配管部材１，２，３，５，７，１４，１５，１６，１７の挿し口２１との挿着を簡単且つ容易に行えるようにしている。
【００３９】
更に、前記受け口２０の受け筒部２０ａの外周面と挿し口２１の挿し筒部２１ａに隣接する外周面とには、二つ割り状のハウジング形の管継手４により覆われて突き合せ状態で密着状に締め付け固定される環状の鍔部２０ｃ，２１ｄがそれぞれ形成されている。
【００４０】
更に、前記挿し口２１の鍔部２１ｄの外側端面には、突き合せ状に挿着された受け口２０と挿し口２１を引き離すための工具（マイナスドライバ等）が差し込まれる分離用溝２１ｅが１８０度の間隔を空けて二つ形成されている。
【００４１】
そして、前記落下防止用の係止手段２２は、配管部材１，２，３，５，７，１４，１５，１６，１７同士を接続する際に、作業者が着用している安全帯（図示省略）に設けたフック１９や作業者が身に付けている索条（図示省略）に係止されて配管部材１，２，３，５，７，１４，１５，１６，１７が落下するのを防止するのに用いられるものであり、少なくとも安全帯のフック１９が着脱自在に係止されるリング２７（又はリング状部）、或いは、索条の先端部が結び付けられるリング２７（又はリング状部）を備えている。
【００４２】
即ち、前記係止手段２２は、図３（Ａ）〜（Ｄ）に示す如く、例えば、直管２の受け口２０の小径部分の外周面に着脱自在に外嵌された帯状金属板により形成した二つの半円状のバンド部２４ａ、二つのバンド部２４ａの端部同士を回動自在に連結して二つのバンド部２４ａを開閉自在としたヒンジ２５及び二つのバンド部２４ａの自由端に連設された対向する一対の締め付け片２４ｂから成る円形の配管支持金具２４と、配管支持金具２４の一対の締め付け片２４ｂ同士を締め付け固定して配管支持金具２４を受け口２０の外周面に締め付け固定するボルト及びナットから成る緊締具２６と、一対の締め付け片２４ｂに形成した貫通穴２４ｃに挿通係止され、作業者が着用している安全帯に設けたフック１９や作業者が身に付けている索条の端部が着脱自在に係止される金属製のリング２７と、を備えている。
【００４３】
この係止手段２２は、緊締具２６を締め付けたり、緩めたりすることによって、受け口２０に着脱自在に取り付けられている。そのため、配管部材１，２，３，５，７，１４，１５，１６，１７が損傷したり、破損したりした場合には、係止手段２２を配管部材１，２，３，５，７，１４，１５，１６，１７から取り外し、新しい配管部材１，２，３，５，７，１４，１５，１６，１７に取り付けることができる。
【００４４】
上記の実施形態においては、前記直管２は、管本体２ａの一方の開口端部に筒状の受け口２０を設けると共に、管本体２ａの他方の開口端部に筒状の挿し口２１を設ける構成としたが、他の実施形態においては、図示していないが、前記直管２は、管本体２ａの両方の開口端部にそれぞれ筒状の受け口２０を設ける構成としても良く、或いは、管本体２ａの両方の開口端部にそれぞれ筒状の挿し口２１を設ける構成としても良い。
【００４５】
図４は配管部材を形成するチーズ３を示し、当該チーズ３は、合成樹脂製のＴ字状の管本体３ａと、管本体３ａの両方の開口端部にそれぞれ突合せ融着Ｗにより接続された合成樹脂製の筒状の受け口２０及び筒状の挿し口２１と、管本体３ａのＴ字状の突出部３ａ′に突合せ融着Ｗにより接続された合成樹脂製の筒状の受け口２０と、一方の受け口２０に設けた落下防止用の係止手段２２と、を備えている。このチーズ３の受け口２０には、他の配管部材１，２，３，５，７，１４，１５，１６，１７に設けた挿し口２１が気密状態で着脱自在に挿着され、また、チーズ３の挿し口２１には、他の配管部材１，２，３，５，７，１４，１５，１６，１７に設けた受け口２０が気密状態で着脱自在に挿着されるようになっている。
【００４６】
上記の実施形態においては、前記チーズ３は、管本体３ａの両方の開口端部に筒状の受け口２０及び挿し口２１をそれぞれ設けると共に、管本体３ａの突出部３ａ′に筒状の受け口２０を設ける構成としたが、他の実施形態においては、図示していないが、前記チーズ３は、管本体３ａの両方の開口端部及び突出部３ａ′の開口端部にそれぞれ筒状の受け口２０を設ける構成としても良く、また、管本体３ａの両方の開口端部に筒状の受け口２０及び筒状の挿し口２１をそれぞれ設けると共に、管本体３ａの突出部３ａ′の開口端部に筒状の挿し口２１を設ける構成としても良く、更に、管本体３ａの両方の開口端部及び突出部３ａ′の開口端部にそれぞれ筒状の挿し口２１を設ける構成としても良く、更に、管本体３ａの両方の開口端部に筒状の挿し口２１をそれぞれ設けると共に、管本体３ａの突出部３ａ′の開口端部に筒状の受け口２０を設ける構成としても良い。
【００４７】
図５は配管部材を形成するエルボ５を示し、当該エルボ５は、合成樹脂製のＬ字状の管本体５ａと、管本体５ａの一方の開口端部に突合せ融着Ｗにより接続された合成樹脂製の筒状の受け口２０と、管本体５ａの他方の開口端部に突合せ融着Ｗにより接続された合成樹脂製の筒状の挿し口２１と、受け口２０に設けた落下防止用の係止手段２２と、を備えている。このエルボ５の受け口２０には、他の配管部材１，２，３，５，７，１４，１５，１６，１７に設けた挿し口２１が気密状態で着脱自在に挿着され、また、エルボ５の挿し口２１には、他の配管部材１，２，３，５，７，１４，１５，１６，１７に設けた受け口２０が気密状態で着脱自在に挿着されるようになっている。
【００４８】
上記の実施形態においては、前記エルボ５は、管本体５ａの一方の開口端部に筒状の受け口２０を設けると共に、管本体５ａの他方の開口端部に筒状の挿し口２１を設ける構成としたが、他の実施形態においては、図示していないが、前記エルボ５は、管本体５ａの両方の開口端部にそれぞれ筒状の受け口２０を設ける構成としても良く、或いは、管本体５の両方の開口端部にそれぞれ筒状の挿し口２１を設ける構成としても良い。
【００４９】
図６は配管部材を形成する伸縮管１４を示し、当該伸縮管１４は、直径の異なる合成樹脂製の二つのパイプを摺動自在に嵌合した二重構造の管本体１４ａと、二つのパイプの結合部に両パイプを任意の結合位置で固定し得る伸縮調節具１４ｂと、管本体１４ａの一方の開口端部に突合せ融着Ｗにより接続された合成樹脂製の筒状の受け口２０と、管本体１４ａの他方の開口端部に突合せ融着Ｗにより接続された合成樹脂製の筒状の挿し口２１と、受け口２０に設けた落下防止用の係止手段２２と、を備えている。この伸縮管１４の受け口２０には、他の配管部材１，２，３，５，７，１４，１５，１６，１７に設けた挿し口２１が気密状態で着脱自在に挿着され、また、伸縮管１４の挿し口２１には、他の配管部材１，２，３，５，７，１４，１５，１６，１７に設けた受け口２０が気密状態で着脱自在に挿着されるようになっている。
【００５０】
上記の実施形態においては、前記伸縮管１４は、管本体１４ａの一方の開口端部に筒状の受け口２０を設けると共に、管本体１４ａの他方の開口端部に筒状の挿し口２１を設ける構成としたが、他の実施形態においては、図示していないが、前記伸縮管１４は、管本体１４ａの両方の開口端部にそれぞれ筒状の受け口２０を設ける構成としても良く、或いは、管本体１４ａの両方の開口端部にそれぞれ筒状の挿し口２１を設ける構成としても良い。
【００５１】
図７は配管部材を形成する筒状のフレキシブル継手１５を示し、当該フレキシブル継手１５は、可撓性を有する金属製の管本体１５ａと、管本体１５ａの一方の開口端部に接続された合成樹脂製の筒状の受け口２０と、管本体の他方離開口端部に接続された合成樹脂製の筒状の挿し口２１と、受け口２０に設けた落下防止用の係止手段２２と、を備えている。このフレキシブル継手１５の受け口２０には、他の配管部材１，２，３，５，７，１４，１５，１６，１７に設けた挿し口２１が気密状態で着脱自在に挿着され、また、フレキシブル継手の挿し口には、他の配管部材１，２，３，５，７，１４，１５，１６，１７に設けた受け口２０が気密状態で着脱自在に挿着されるようになっている。
【００５２】
上記の実施形態においては、前記フレキシブル継手１５は、管本体１５ａの一方の開口端部に筒状の受け口２０を設けると共に、管本体１５ａの他方の開口端部に筒状の挿し口２１を設ける構成としたが、他の実施形態においては、図示していないが、前記フレキシブル継手１５は、管本体１５ａの両方の開口端部にそれぞれ筒状の受け口２０を設ける構成としても良く、或いは、管本体１５ａの両方の開口端部にそれぞれ筒状の挿し口２１を設ける構成としても良い。
【００５３】
図８は配管部材を形成するレジューサー１６を示し、当該レジューサー１６は、両端部の直径が異なる合成樹脂製の直線状の管本体１６ａと、管本体１６ａの一方の開口端部に突合せ融着Ｗにより接続された合成樹脂製の筒状の受け口２０と、管本体１６ａの他方の開口端部に突合せ融着Ｗにより接続された合成樹脂製の筒状の挿し口２１と、受け口２０に設けた係止手段２２と、を備えている。このレジューサー１６の受け口２０には、他の配管部材１，２，３，５，７，１４，１５，１６，１７に設けた挿し口２１が気密状態で着脱自在に挿着され、また、レジューサー１６の挿し口２１には、他の配管部材１，２，３，５，７，１４，１５，１６，１７に設けた受け口２０が気密状態で着脱自在に挿着されるようになっている。
【００５４】
上記の実施形態においては、前記レジューサー１６は、管本体１６ａの一方の開口端部に筒状の受け口２０を設けると共に、管本体１６ａの他方の開口端部に筒状の挿し口２１を設ける構成としたが、他の実施形態においては、図示していないが、前記レジューサー１６は、管本体１６ａの両方の開口端部にそれぞれ筒状の受け口２０を設ける構成としても良く、或いは、管本体１６ａの両方の開口端部にそれぞれ筒状の挿し口２１を設ける構成としても良い。
【００５５】
図９は配管部材を形成するエンドキャップ７を示し、当該エンドキャップ７は、一端部が閉塞された合成樹脂製の直線状の管本体７ａと、管本体７ａの開口端部に突合せ融着Ｗにより接続された合成樹脂製の筒状の受け口２０と、受け口２０に設けた落下防止用の係止手段２２と、を備えている。このエンドキャップ７の受け口２０には、他の配管部材１，２，３，５，７，１４，１５，１６，１７に設けた挿し口２１が気密状態で着脱自在に挿着されるようになっている。
【００５６】
上記の実施形態においては、前記エンドキャップ７は、管本体７ａの開口端部に筒状の受け口２０を設ける構成としたが、他の実施形態においては、図示していないが、前記エンドキャップ７は、管本体７ａの開口端部に筒状の挿し口２１を設ける構成としても良い。
【００５７】
図１０は配管部材を形成する変換アダプタ１７を示し、当該変換アダプタ１７は、合成樹脂製の管本体１７ａと、管本体１７ａの一方の開口端部に突合せ融着Ｗにより接続された合成樹脂製の筒状の受け口２０と、受け口２０に設けた落下防止用の係止手段２２と、を備えている。この変換アダプタ１７の受け口２０には、他の配管部材１，２，３，５，７，１４，１５，１６，１７に設けた挿し口２１が気密状態で着脱自在に挿着されるようになっている。
【００５８】
上記の実施形態においては、前記変換アダプタ１７は、管本体１７ａの一方の開口端部に筒状の受け口２０を設ける構成としたが、他の実施形態においては、図示していないが、前記変換アダプタ１７は、管本体１７ａの一方の開口端部に筒状の挿し口２１を設ける構成としても良い。
【００５９】
尚、上述した配管部材を形成する直管２、チーズ３、エルボ５、エンドキャップ７、伸縮管１４、フレキシブル継手１５、レジューサー１６及び変換アダプタ１７の受け口２０と挿し口２１は、何れもポリエチレン樹脂材により形成されている。また、配管部材を形成する直管２、チーズ３、エルボ５、エンドキャップ７、伸縮管１４、フレキシブル継手１５、レジューサー１６及び変換アダプタ１７の管本体２ａ，３ａ，５ａ，７ａ，１４ａ，１５ａ，１６ａ，１７ａは、フレキシブル継手１５を除いて、何れもポリエチレン樹脂材により形成されている。更に、配管部材を形成する直管２、チーズ３、エルボ５、エンドキャップ７、伸縮管１４、フレキシブル継手１５、レジューサー１６及び変換アダプタ１７の受け口２０、挿し口２１及び係止手段２２は、何れも同じ形状及び同じ構造に形成されている。
【００６０】
また、上述した配管部材を形成する直管２、チーズ３、エルボ５、エンドキャップ７、伸縮管１４、フレキシブル継手１５、レジューサー１６及び変換アダプタ１７においては、何れも受け口２０に落下防止用の係止手段２２を設けるようにしたが、各配管部材２，３，５，７，１４，１５，１６，１７の管本体２ａ，３ａ，５ａ，７ａ，１４ａ，１５ａ，１６ａ，１７ａ又は挿し口２１に落下防止用の係止手段２２を設けるようにしても良い。
【００６１】
図１１及び図１２は配管部材を形成する仮設配管ユニット１を示し、当該仮設配管ユニット１は、複数の合成樹脂製の管体を突合せ融着Ｗにより接続して成るユニット本体２８と、ユニット本体２８の各開口端部に設けられ、外周面にハウジング形の管継手４により覆われる環状の鍔部２０ｃ，２１ｄを形成した合成樹脂製の筒状の受け口２０及び筒状の挿し口２１と、前記ユニット本体２８、筒状の受け口２０又は筒状の挿し口２１の何れかに設けられ、作業者が着用している安全帯に設けたフック１９や作業者が身に付けている索条に着脱自在に係止される落下防止用の係止手段２２と、を備えている。
【００６２】
また、ユニット本体２８を形成する管体は、上述した配管部材２，３，５，７，１４，１５，１６，１７と別の直管２８ａ、チーズ２８ｂ、エルボ（図省略）又は伸縮管（図示省略）等から成る。
【００６３】
この実施形態においては、前記仮設配管ユニット１は、ポリエチレン樹脂製の直管２８ａとポリエチレン樹脂製のチーズ２８ｂとを突合せ融着Ｗにより接続して成るユニット本体２８と、ユニット本体２８のチーズ２８ｂに突合せ融着Ｗにより接続され、他の仮設配管ユニット１の挿し口２１に気密状態で着脱自在に挿着されるポリエチレン樹脂製の筒状の受け口２０と、ユニット本体２８の直管２８ａに突合せ融着Ｗにより接続され、他の仮設配管ユニット１の受け口２０に気密状態で着脱自在に挿着されるポリエチレン樹脂製の筒状の挿し口２１と、ユニット本体２８のチーズ２８ｂのＴ字形の突出部２８ｂ′に突合せ融着Ｗにより接続されたポリエチレン樹脂製の筒状の分岐口２９と、分岐口２９の先端部に設けた継手３０と、受け口２０に設けられ、作業者が着用している安全帯に設けたフック１９や作業者が身に付けている索条に着脱自在に係止される落下防止用の係止手段２２と、を備えており、前記受け口２０に他の仮設配管ユニット１の挿し口２１を、また、前記挿し口２１に更に他の仮設配管ユニット１の受け口２０をそれぞれ気密状態で着脱自在に挿着し、各仮設配管ユニット１の端部同士をハウジング形の管継手４で接続することにより直列状に接続されるようになっている。
【００６４】
この仮設配管ユニット１の受け口２０及び挿し口２１には、他の仮設配管ユニット１の他に、配管部材である直管２、エルボ３、チーズ５、止水栓６、エンドキャップ７、伸縮管１４、フレキシブル継手１５、レジューサー１６、変換アダプタ１７等がハウジング形の管継手４を介して着脱自在に接続される構成となっている。
【００６５】
また、仮設配管ユニット１は、その長さ（高さ）が建物Ｂの階高に合わせた長さに設定されており、各仮設配管ユニット１を縦向きに接続して建物Ｂの外廊下の外側位置に配設したときに、仮設配管ユニット１が建物Ｂの各階に一つずつ確実に配置され、仮設配管ユニット１の分岐口２９及び継手３０の位置が必ず各階の天井面Ｂ２よりも少し低い位置に位置するようにしている。
【００６６】
尚、仮設配管ユニット１の受け口２０、挿し口２１及び係止手段２２は、他の配管部材２，３，５，７，１４，１５，１６，１７の受け口２０、挿し口２１及び係止手段２２と同じ形状及び同じ構造に形成されており、他の配管部材２，３，５，７，１４，１５，１６，１７の受け口２０、挿し口２１及び係止手段２２と同じ部位・部材には、同一の参照番号を付している。
【００６７】
更に、仮設配管ユニット１の継手３０は、図１２に示す如く、分岐口２９にシール材３０ａを介して気密状態で挿着された短管３０ｂと、分岐口２９の端面に固定され、短管３０ｂを抜け止めする止めナット３０ｃと、短管３０ｂに回転自在且つ軸線方向へ移動自在に外嵌されたユニオンナット３０ｄと、を備えており、従来公知のユニオン継手と同様構造に構成されている。
【００６８】
上記の実施形態においては、仮設配管ユニット１を、ユニット本体２８と受け口２０と挿し口２１と分岐口２９と継手３０と係止手段２２とから構成したが、仮設配管ユニット１の構成は、上記の実施形態に係るものに限定されるものではなく、少なくとも複数の管体と受け口２０と挿し口２１と係止手段２２とを備えておれば、如何なる形態及び構造であっても良い。
【００６９】
また、上記の実施形態においては、仮設の縦配管路Ｌ２の一部に図１１に示すような仮設配管ユニット１を使用したが、他の実施形態においては、仮設配管ユニット１を省略し、複数の配管部材２，３，５，７，１４，１５，１６，１７をハウジング形の管継手４により直列状に接続して仮設の縦配管路Ｌ２を形成するようにしても良い。
【００７０】
図１３〜図１５は二つ割り状のハウジング形の管継手４を示し、当該ハウジング形の管継手４は、配管部材１，２，３，５，７，１４，１５，１６，１７等を着脱自在に接続するものである。
【００７１】
即ち、ハウジング形の管継手４は、図１３〜図１５に示す如く、接続する配管部材１，２，３，５，７，１４，１５，１６，１７に設けた受け口２０及び挿し口２０の両鍔部２０ｃ，２１ｄに覆い被されるポリエチレン樹脂材により形成された一対の半円状ハウジング３１′から成る二つ割りの環状ハウジング３１と、一方の半円状ハウジング３１′の一端部に設けた連結片３１ａと他方の半円状ハウジング３１′の一端部に設けた二股状の連結片３１′とを回動自在に連結する連結ピン３２と、一方の半円状ハウジング３１′の他端部に設けた二股状の締め付け片３１ｂに取り付けピン３３を介して回動自在に設けられ、他方の半円状ハウジング′３１′の他端部に設けた二股状の締め付け片３１ｂ間に挿通されるボルト３４ａ及び当該ボルト３４ａに螺着されて二股状の締め付け片３１ｂに面接触状態で係止されるナット３４ｂから成る緊締具３４と、連結ピン３２に設けられ、作業者が着用している安全帯に設けたフック１９や作業者が身に付けている索条に着脱自在に係止される落下防止用の係止手段２２と、を備えている。
【００７２】
前記落下防止用の係止手段２２は、一対の半円状ハウジング３１′を回動自在に連結する連結ピン３２の両端部に取り付けた平面形状がコ字状の係止部材３５を備えており、前記コ字状の係止部材３５が安全帯に設けたフック１９や索条の先端部が着脱自在に係止されるリング状部となっている。このコ字状の係止部材３５は、連結ピン３２と一緒に連結ピン３２の軸心回りに回動するようになっている。
【００７３】
尚、前記ハウジング形の管継手４は、図１４に示す如く、半円状ハウジング３１′の二股状の締め付け片３１ｂのナット３４ｂに係止される面が、外方向へ向うに従って上り傾斜状の傾斜面３１ｃに形成されており、ナット３４ｂがボルト３４ａに対して緩み、ボルト３４ａが二股状の締め付け片３１ｂ間から抜ける方向へ回動しようとしても、ナット３４ｂが締め付け片３１ｂの傾斜面３１ｃに係止され、ボルト３４ａが回動するのを防止できるようにしている。
【００７４】
図１６は屋上配管路Ｌ１や縦配管路Ｌ２に介設される止水栓６を示し、当該止水栓６は、ボールバルブ構造に構成されており、配管部材１，２，３，５，７，１４，１５，１６，１７の受け口２０に気密状態で着脱自在に挿着される筒状の挿し口２１′と、他の配管部材１，２，３，５，７，１４，１５，１６，１７の挿し口２１に気密状態で着脱自在に挿着される筒状の受け口２０′と、止水栓本体６ａに設けられ、作業者が着用している安全帯設けたフック１９や作業者が身に付けている索条に着脱自在に係止される落下防止用の係止手段２２と、を備えており、ハウジング形の管継手４により配管部材１，２，３，５，７，１４，１５，１６，１７に気密状に接続されるようになっている。
【００７５】
尚、前記落下防止用の係止手段２２は、配管部材１，２，３，５，７，１４，１５，１６，１７に設けた係止手段２２と同じ形状及び同じ構造に形成されており、配管部材１，２，３，５，７，１４，１５，１６，１７の係止手段２２と同じ部位・部材には、同一の参照番号を付している。
また、図１６において、２０ａ′は受け口２０′の鍔部、２１ａ′は挿し口２１′の挿し筒部、２１ｂ′は挿し口２１′の鍔部、２３はＯリングである。
【００７６】
而して、上述した仮設の屋上配管路Ｌ１は、図１に示す如く、直管２、チーズ３、止水栓（図示省略）、エルボ（図示省略）、フレキシブル継手（図示省略）等をハウジング形の管継手４で順次接続することにより形成される。この仮設の屋上配管路Ｌ１は、上流側部分がＶＳ継手（図示省略）等を介して給水用のタンク又はポンプ（何れも図示省略）に接続されている既設の水道管（図示省略）に接続されており、既設の水道管から水道水が流入するようになっている。
【００７７】
また、上述した仮設の縦配管路Ｌ２は、図１及び図２に示す如く、仮設配管ユニット１、直管２、チーズ３、エルボ５、止水栓６及びエンドキャップ７等をハウジング形の管継手４で順次接続すると共に、各仮設配管ユニット１の継手３０と建物Ｂの各住戸のメーターボックスＳ内に収納した水道メーターＭを装着したメーターユニットＵとを給水用吊下げ配管９でそれぞれ接続することにより形成される。この仮設の縦配管路Ｌ２は、最も上流側に位置する止水栓６がハウジング形の管継手４を介して仮設の屋上配管路Ｌ１のチーズ３に接続されており、仮設の屋上配管路Ｌ１から水道水が流入するようになっている。また、縦配管路Ｌ２は、固定金具により建物Ｂ等の手摺壁Ｂ１に固定支持されている。
【００７８】
尚、仮設配管ユニット１、直管２、チーズ３、エルボ５及びエンドキャップ７等の各部材は、図１７及び図１８に示す如く、各部材１，２，３，５，７の挿し口２０に設けたＯリング２３に滑剤を塗布した後、滑剤を塗布した挿し口２１を他の部材１，２，３，５，７の受け口２０にＯリング２３を介して気密状に挿し込み、受け口２０及び挿し口２１の外周面に形成した環状の鍔部２０ｃ，２１ｄをハウジング形の管継手４の環状ハウジング３１で覆い、緊締具３４のボルト３４ａを半円状ハウジング３１′の二股状の締め付け片３１ｂ間に挿通し、ボルト３４ａに螺着したナット３４ｂを締め込んで一対の半円状ハウジング３１′の締め付け片３１ｂ同志を締め付け固定することにより気密状に接続される。
【００７９】
ところで、仮設の縦配管路Ｌ２を施工する際、屋上から給水するタイプの建物Ｂにおいては、縦配管路Ｌ２を建物Ｂの屋上から階下へ向って施工するようにしているため、各配管部材１，２，３，５，７をハウジング形の管継手４で接続する際に、配管部材１，２，３，５，７やハウジング形の管継手４を落とすことがあった。
【００８０】
そこで、縦配管路Ｌ２を施工する際には、配管部材１，２，３，５，７に設けた係止手段２２のリング２７やハウジング形の管継手４に設けた係止手段２２のコ字状の係止部材３５（リング状部）に、作業者が着用している安全帯に設けたフック１９や作業者が身に付けている索条を係止した後、この状態で各配管部材１，２，３，５，７同士を接続する。尚、止水栓６をハウジング形の管継手４により各配管部材１，２，３，５，７に接続する際にも、止水栓６に設けた係止手段２２のリング２７に安全帯に設けたフック１９や索条を係止する。
【００８１】
このようにすれば、配管部材１，２，３，５，７やハウジング形の管継手４、止水弁６が落下するのを防止することができる。その結果、建物の外側に仮設配管路Ｌを施工する際に、安全に作業できると共に、配管部材１，２，３，５，６，７やハウジング形の管継手４、止水弁６の落下による建物や配管部材１，２，３，５，７やハウジング形の管継手４、止水弁６の損傷・破損を防止することができる。
【００８２】
また、上述した配管部材１，２，３，５，７及び止水弁６においては、次のような優れた効果を奏することができる。
（１）配管部材１，２，３，５，７及び止水弁６は、受け口２０，２０′及び挿し口        ２１，２１′を備えているため、受け口２０，２０′に挿し口２１，２１′を気密状    に挿着し、受け口２０，２０′及び挿し口２１，２１′にハウジング形の管継手４を    装着するだけで、配管部材１，２，３，５，７同士、配管部材１，２，３，５，７と    止水弁６の接続を行えるので、仮設配管路Ｌの縦配管路Ｌ２を簡単且つ迅速に形成で    きて高能率で建物Ｂに敷設することができ、工期の短縮及びコストの低減を図れる。
（２）配管部材１，２，３，５，７及び止水弁６の受け口２０，２０′と挿し口２１，      ２１′との間をＯリング２３によりシールするようにしているため、従来の仮設配管    路のように環状のパッキンが管継手に噛み込んでパッキンのシール性が損なわれると    言うことがなく、シール性に優れたものとなる。
（３）配管部材１，２，３，５，７及び止水弁６の受け口２０，２０′の受け筒部２１，    ２１′を大径に形成すると共に、受け筒部２１，２１′ａの内周縁部をテーパ面        ２０，２０′ｂに形成し、また、挿し筒部２１，２１′の外周縁部に面取り２１，      ２１′ｃを施しているため、受け口２０，２０′への挿し口２１，２１′の挿着を簡    単且つ容易に行え、接続作業時間の短縮を図れる。
（４）ハウジング形の管継手４を外し、配管部材１，２，３，５，７及び止水弁６の挿し    口２１，２１′を他の配管部材１，２，３，５，７及び止水弁６の受け口２０，        ２０′から引き抜くだけで、配管部材１，２，３，５，７及び止水弁６を簡単に分離    することができ、用済み後の仮設配管路Ｌの取り外しを容易に行えると共に、取り外    し時に配管部材１，２，３，５，７及び止水弁６が損傷することが殆んどなく、その    結果、配管部材１，２，３，５，７及び止水弁６の再利用率が大幅に向上する。
【００８３】
尚、上記の実施形態においては、係止手段２２の円形状の配管支持金具２４をヒンジ２５により開閉自在としたが、他の実施形態においては、図１９に示す如く、円形状の配管支持金具２４を、弾性変形可能な帯状の金属板を折り曲げ加工することにより形成されて受け口２０や挿し口２１の小径部分等に外嵌されるＣ字状のバンド部２４ａと、バンド部２４ａの両端に連設された対向する一対の締め付け片２４ｂとを備えた配管支持金具２４とし、ヒンジ２５を省略するようにしても良い。
【００８４】
また、上記の実施形態においては、係止手段２２が金属製のリング２７を備えているが、他の実施形態においては、図２０に示す如く、係止手段２２のリング２７を省略し、配管支持金具２４の締め付け片２４ｂに形成した貫通穴２４ｃを安全帯のフック１９や索条が挿通係止される大きさに形成し、配管支持金具２４の締め付け片２４ｂの先端部側をリング状部としても良い。
【００８５】
更に、上記の実施形態においては、係止手段２２の配管支持金具２４の一対の締め付け片２４ｂをボルト及びナットから成る緊締具２６で締め付けるようにしたが、他の実施形態においては、図示していないが、緊締具２６を省略し、配管支持金具２４の一対の締め付け片２４ｂ同士を溶接により固着するようにしても良い。
【００８６】
更に、上記の実施形態においては、係止手段２２を、配管支持金具２４と緊締具２６とリング２７とから構成したが、係止手段２２は、上記の実施形態に係るものに限定されるものではなく、安全帯のフック１９や索条が係止されるリングやリング状部を備えておれば、如何なる形態及び構造のものであっても良い。
【００８７】
例えば、係止手段２２は、図２１に示す如く、配管部材１，２，３，５，７，１４，１５，１６，１７の一部に、安全帯のフック１９や索条が挿通係止される貫通穴３６ａを形成したリング状部３６を一体的に形成するようにしても良い。このリング状部３６を形成する位置は、配管部材１，２，３，５，７，１４，１５，１６，１７の如何なる位置であっても良い。また、図示していないが、図２１のリング状部３６の貫通穴３６ａにリングを挿通係止し、このリングに安全帯のフック１９や索条を係止するようにしても良い。
【００８８】
更に、上記の実施形態においては、ハウジング形の管継手４は、係止手段２２が平面形状がコ字状の係止部材３５を備え、前記係止部材３５をリング状部としたが、ハウジング形の管継手４の係止手段２２は、上記の実施形態に係るものに限定されるものではなく、安全帯のフック１９や索条が係止されるリングやリング状部を備えておれば、如何なる形態及び構造のものであっても良い。
【００８９】
例えば、ハウジング形の管継手４の係止手段２２は、図２２（Ａ）に示す如く、一方の半円状ハウジング３１′に、安全帯のフック１９や索条が挿通係止される貫通穴３６ａを形成したリング状部３６を一体的に形成するようにしても良く、或いは、図２２（Ｂ）に示す如く、一方の半円状ハウジング３１′に貫通穴３１ｄを形成し、当該貫通穴３１ｄに安全帯のフック１９や索条が挿通係止されるリング２７を挿通係止しても良い。
【００９０】
更に、上記の実施形態においては、配管部材２，３，５，７，１４，１６，１７の管本体２ａ，３ａ，５ａ，７ａ，１４ａ，１６ａ，１７ａの開口端部及び配管部材１（仮設配管ユニット１）のユニット本体２８の開口端部に受け口２０や挿し口２１を突合せ融着Ｗするようにしたが、他の実施形態においては、配管部材２，３，５，７，１４，１６，１７の管本体２ａ，３ａ，５ａ，７ａ，１４ａ，１６ａ，１７ａの開口端部及び配管部材１（仮設配管ユニット１）のユニット本体２８の開口端部に受け口２０や挿し口２１を一体的に形成するようにしても良い。
【００９１】
更に、上記の実施形態においては、配管部材２，３，５，７，１４，１６，１７の管本体２ａ，３ａ，５ａ，７ａ，１４ａ，１６ａ，１７ａの開口端部、配管部材１（仮設配管ユニット１）のユニット本体２８の開口端部、止水弁６の開口端部に、それぞれ受け口２０，２０′や挿し口２１，２１′を設けるようにしたが、他の実施形態においては、図２３に示す如く、配管部材２，３，５，７，１４，１６，１７の管本体２ａ，３ａ，５ａ，７ａ，１４ａ，１６ａ，１７ａの開口端部、配管部材１（仮設配管ユニット１）のユニット本体２８の開口端部、止水弁６の開口端部に、外周面にハウジング形の管継手４により覆われる環状の鍔部３７ａを形成した合成樹脂製の筒状の接続部３７を設け、対向せしめた筒状の接続部３７の鍔部３７ａに環状のパッキン３８を被せ、環状の鍔部３７ａ及び環状のパッキン３８を二つ割り状のハウジング形の管継手４で抱き込んで締め付け固定し、配管部材１，２，３，５，７，１４，１６，１７及び止水弁６を気密状に接続するようにしても良い。この筒状の接続部３７は、管本体２ａ，３ａ，５ａ，７ａ，１４ａ，１６ａ，１７ａやユニット本体２８の開口端部に突合せ融着Ｗにより接続しても良いし、或いは、管本体２ａ，３ａ，５ａ，７ａ，１４ａ，１６ａ，１７ａやユニット本体２８、止水栓６の開口端部に一体的に形成しても良い。
【産業上の利用可能性】
【００９２】
本発明は、建物Ｂ内に敷設した上水道管の更新工事に用いるようにしたが、これに限らず、建物Ｂ内に敷設したガス管や排水管等の更新工事や補修工事等にも利用できるものである。
【符号の説明】
【００９３】
１は仮設配管ユニット
２は直管
３はチーズ
４はハウジング形の管継手
５はエルボ
７はエンドキャップ
１４は伸縮管
１５はフレキシブル継手
１６はレジューサー
１７は変換アダプタ
１９はフック
２０は受け口
２１は挿し口
２２は係止手段
２７はリング
２８はユニット本体
３５は係止部材
３６はリング状部
３７は筒状の接続部
Ｂは建物
Ｌは仮設配管路
【図１】
2020063611.tif 000003
【図２】
2020063611.tif 000004
【図３】
2020063611.tif 000005
【図４】
2020063611.tif 000006
【図５】
2020063611.tif 000007
【図６】
2020063611.tif 000008
【図７】
2020063611.tif 000009
【図８】
2020063611.tif 000010
【図９】
2020063611.tif 000011
【図１０】
2020063611.tif 000012
【図１１】
2020063611.tif 000013
【図１２】
2020063611.tif 000014
【図１３】
2020063611.tif 000015
【図１４】
2020063611.tif 000016
【図１５】
2020063611.tif 000017
【図１６】
2020063611.tif 000018
【図１７】
2020063611.tif 000019
【図１８】
2020063611.tif 000020
【図１９】
2020063611.tif 000021
【図２０】
2020063611.tif 000022
【図２１】
2020063611.tif 000023
【図２２】
2020063611.tif 000024
【図２３】
2020063611.tif 000025